(57)【要約】      （修正有）【課題】板紙製ブランクの破断を生じることなく、経済的に成型できる板紙製蓋付成型容器と、該板紙製蓋付成型容器の成型方法及び該板紙製蓋付成型容器の成型装置を提供する。【解決手段】蓋面板20と、該蓋面板を拡大した形状の本体板10と、前記蓋面板と前記本体板とを連結するヒンジ部とを一体に備える板紙製ブランクを、プレス成型し、本体部分と蓋部分３を具備する紙容器を形成する成型方法において、前記板紙製ブランクを成型ショット毎に、一対の雄型用金型と雌型用金型とを有する成型用金型内で順次、重力により下方へスライド移動させ、本体部分と蓋部分をそれぞれ別個にプレス成型する。本発明の成型方法及び成型装置では、紙容器の本体部分と蓋部分が同時にプレス成型されることはないので、成型部分が互いに引き合って板紙製ブランクが破断するという不具合を防止することができる。【選択図】図３
2006131290.tif 000002
【特許請求の範囲】
【請求項１】
蓋面板と、該蓋面板を拡大した形状の本体板と、前記蓋面板と前記本体板とを連結するヒンジ部とを一体に備える板紙製ブランクからプレス成型によって成型される板紙製蓋付成型容器であって、
板状若しくは浅底の蓋部分と、高い側壁で形成された深底の本体部分とが折曲可能なヒンジ部で連結されて一体に成型されたことを特徴とする、
板紙製蓋付成型容器。
【請求項２】
請求項１において、前記蓋部分は、板状の蓋面部と、該蓋面部の周縁から上側に突出した周状膨出部と、該周状膨出部の周縁から外方へ延在するフランジ部とを備えており、
前記本体部分は、上方へ窪む上げ底状態に構成された中央底部と、該中央底部の外周縁から外方へ広がっている外側底部と、該外側底部の各辺から外側へ立ち上がる側壁と、該側壁の上端縁から外方に広がっているフランジ部を備えており、
前記蓋部分を前記ヒンジ部で折り返し、前記本体部分を閉じた状態において、該蓋部分のフランジ部と該本体部分のフランジ部とが周縁で当接することを特徴とする、
板紙製蓋付成型容器。
【請求項３】
請求項１又は２に記載の板紙製蓋付成型容器の成型方法であって、
蓋面板と、該蓋面板を拡大した形状の本体板と、前記蓋面板と前記本体板とを連結するヒンジ部とを一体に備える板紙製ブランクを、
前記蓋面板と前記本体板のそれぞれのブランク外径寸法の差異、前記蓋面板の成型後の外径寸法と前記本体板のブランク外径寸法の差異、及び前記蓋面板のブランク外径寸法と前記本体板の成型後の外径寸法との差異のうち、少なくともいずれかの外径寸法の差異を利用することにより、
成型ショット毎に一対の雄型用金型と雌型用金型とを有する成型用金型内で順次、重力により下方へスライド移動させ、別個の板紙製ブランクについて、本体部分と蓋部分を同時にプレス成型することを特徴とする、
板紙製蓋付成型容器の成型方法。
【請求項４】
請求項３に記載の発明において、
前記板紙製ブランクを、一対の雄型用金型と雌型用金型とを有する成型用金型内に順次に搬送し、
該板紙製ブランクの蓋面板を位置決めし、紙容器の蓋部分をプレス成型し、該蓋部分のプレス成型後に、前記板紙製ブランクを前記成型用金型内で重力により下方へスライド移動させ、
次いで、該板紙製ブランクの本体板を位置決めし、紙容器の本体部分をプレス成型することにより、
成型ショット毎に、別個の板紙製ブランクについて、本体部分と蓋部分を同時にプレス成型することを特徴とする、
板紙製蓋付成型容器の成型方法。
【請求項５】
請求項３又は４に記載の発明において、
蓋部分の成型ショット直後に、成型ストロークの範囲内で、雄型用金型側からブロアーを行うと同時に雌型用金型側からバキュームを行い、該雄型用金型側から蓋部分のみ成型された板紙製ブランクを剥離させる工程と、
次いで、前記の成型用金型内で、上記剥離させた板紙製ブランクを該成型用金型の紙容器の本体部分の成型位置まで重力により下方へスライド移動させると同時に、次の板紙製ブランクを前記の成型用金型の蓋部分の成型位置まで重力により落下させる工程と、
蓋部分のみ成型された上記板紙製ブランクの本体部分と、上記次の板紙製ブランクの蓋部分を同時にプレス成型する工程と、
本体部分の成型ショット直後に、成型ショットのストロークの範囲内で、雄型用金型側からブロアーを行うと同時に雌型用金型側からバキュームを行い、完成した板紙製蓋付成型容器を該雄型用金型側から剥離し且つ該雌型用金型側に密着させた後、該雌型用金型側からブロアーを行い、上記の完成した板紙製蓋付成型容器を該雌型用金型側から排出する工程とを備えたことを特徴とする、
板紙製蓋付成型容器の成型方法。
【請求項６】
請求項３乃至５いずれかに記載の板紙製蓋付成型容器の成型方法を実施するための一対の雄型用金型と雌型用金型とを有する成型用金型とからなる成型装置であって、
該雄型用金型は、板紙製ブランクの蓋面板の位置決め手段を設け、該板紙製ブランクを前記成型用金型内で重力により下方へスライド移動させるスライド手段を設け、
該蓋面板の位置決め手段の下方には、前記板紙製ブランクの本体板の位置決め手段とを設けたことを特徴とする、
板紙製蓋付成型容器の成型装置。
【請求項７】
請求項６に記載の板紙製蓋付成型容器の成型装置であって、
前記板紙製ブランクの蓋面板の位置決め手段が、蓋面部の下端に当接するストッパーガイドと、蓋面板の横寸とほぼ同一且つ本体板の横寸より小さな内幅間隔を有するように設けられ、該ストッパーガイドの高さ寸法より低い高さ寸法を有する左右一対の蓋面サイドガイドから構成され、
前記スライド手段が、略Ｌ字状の断面形状の枠体であって、縦方向のクリアランスが該蓋面サイドガイドの高さ寸法より大きく、本体板の横寸とほぼ同一の内幅間隔を有するように設けられた左右一対のスライドガイドから構成され、
上記左右一対の蓋面サイドガイドは、上記左右一対のスライドガイドの内側に設けられたものであって、
前記板紙製ブランクの本体板の位置決め手段が、本体板の横寸より小さな内幅間隔を有するように設けられた左右一対のストッパーピンと、上記左右一対のスライドガイドから構成されることを特徴とする、
板紙製蓋付成型容器の成型装置。
【請求項８】
請求項６又は７に記載の板紙製蓋付成型容器の成型装置であって、
成型ショット直後に、成型ストロークの範囲内で蓋部分のみ成型されたブランク及び完成した板紙製蓋付成型容器をブロアーする空気圧力手段を前記雄型用金型体に設け、
前記成型ショット直後に、蓋部分のみ成型されたブランク及び完成した板紙製蓋付成型容器に対して、前記成型ストロークの範囲内でバキュームを行い、バキューム後に、前記成型ストロークの範囲内でブロアーする空気圧力・吸引手段を前記雌型用金型体に設け、
前記成型ショット直後に、前記成型ストロークの範囲内で、雄型用金型側からブロアーを行わせると同時に雌型用金型側から一定時間バキュームを行わせ、次いで、前記成型ストロークの範囲内で雌型用金型側からブロアーさせる時間差稼動手段を備えたことを特徴とする、
板紙製蓋付成型容器の成型装置。
【発明の詳細な説明】
【技術分野】
【０００１】
本発明は、一枚の板紙製ブランクからプレス成型により成型される板紙製蓋付成型容器と、該板紙製蓋付成型容器を成型する方法及び該板紙製蓋付成型容器の成型方法に使用される成型装置に関する。
【背景技術】
【０００２】
従来、蓋付き容器としては、軽量かつコスト的に有利という理由から、発泡ポリエチレン等の発泡樹脂材を用いて構成されたものが一般的であった。また、発泡樹脂材を用いた容器は、断熱性に富むという長所がある。しかし、発泡樹脂材を用いて構成したプラスチック製容器は、廃棄焼却時の燃焼カロリーが高い等の問題がある。そのため、最近になって、従来のプラスチック製容器の代替品として、燃焼カロリーの低い紙容器が種々提案されている。
【０００３】
例えば、蓋付きの紙製の成型容器として、パルモールド製法により、卵パック容器を製造されている。しかし、該パルモールド製法は、特殊な設備を必要としており、紙を溶解する工程に必要なパルパー設備や、完成品を成型するためのプレス成型設備等、製造工程のために多額の投資を行う必要がある。このように、上記製法では、弁当容器等の需要の見込まれる種々の商品を安価に製造することができず、コスト上、不利である。
【０００４】
また、実開平５−６５８１７号公報には、使い捨てが可能である紙容器として、身箱と蓋カバーとの前側妻板とこれに連続する底板或いは蓋板との境部に折曲線を設けずに両者を夫々そのまま連続させ、かつ該身箱或いは蓋カバーの妻板の先端部を外方に徐々に拡大させると共に、前側妻板に接する側板の端縁を夫々円弧状に形成した曲面を有する蓋付き紙容器が提案されている。しかし、この蓋付き紙容器においても、板紙製ブランクに成型を補助するために多数の切れ目が入れられており、プレス加工で成型されることを目的としていない。そのため、上記の蓋付き紙容器では、特定の形状の板紙製ブランクを切り出す工程及び特定の形状の容器に成型する工程における、多くの紙容器が有する経済的な問題点が改善されてはいない。
【０００５】
【特許文献１】実開平５−６５８１７号公報
【発明の開示】
【発明が解決しようとする課題】
【０００６】
一般に、深い成型部を同時に複数成型する目的で板紙製ブランクにプレス加工を施す場合、プレス加工時に成型部間に引張力が作用して、該板紙製ブランクが容易に破断するという問題がある。
【０００７】
従って、本願発明は、板紙製ブランクの破断を生じることなく、経済的に成型できる板紙製蓋付成型容器と、該板紙製蓋付成型容器の成型方法及び該板紙製蓋付成型容器の成型装置を提供することを課題とする。
【課題を解決するための手段】
【０００８】
上記の課題を解決するため、請求項１記載の発明は板紙製蓋付成型容器であって、蓋面板と、該蓋面板を拡大した形状の本体板と、前記蓋面板と前記本体板とを連結するヒンジ部とを一体に備える板紙製ブランクからプレス成型によって成型される板紙製蓋付成型容器であって、板状若しくは浅底の蓋部分と、高い側壁で形成された深底の本体部分とが折曲可能なヒンジ部で連結されて一体に成型されたものである。
【０００９】
請求項２記載の発明は、請求項１記載の発明において、前記蓋部分は、板状の蓋面部と、該蓋面部の周縁から上側に突出した周状膨出部と、該周状膨出部の周縁から外方へ延在するフランジ部とを備えており、前記本体部分は、上方へ窪む上げ底状態に構成された中央底部と、該中央底部の外周縁から外方へ広がっている外側底部と、該外側底部の各辺から外側へ立ち上がる側壁と、該側壁の上端縁から外方に広がっているフランジ部を備えており、前記蓋部分を前記ヒンジ部で折り返し、前記本体部分を閉じた状態において、該蓋部分のフランジ部と該本体部分のフランジ部とが周縁で当接するようにしたものである。
【００１０】
請求項３記載の発明は、請求項１又は２に記載の板紙製蓋付成型容器の成型方法であって、蓋面板と、該蓋面板を拡大した形状の本体板と、前記蓋面板と前記本体板とを連結するヒンジ部とを一体に備える板紙製ブランクを、前記蓋面板と前記本体板のそれぞれのブランク外径寸法の差異、前記蓋面板の成型後の外径寸法と前記本体板のブランク外径寸法の差異、及び前記蓋面板のブランク外径寸法と前記本体板の成型後の外径寸法との差異のうち、少なくともいずれかの外径寸法の差異を利用することにより、成型ショット毎に一対の雄型用金型と雌型用金型とを有する成型用金型内で順次、重力により下方へスライド移動させ、別個の板紙製ブランクについて、本体部分と蓋部分を同時にプレス成型するものである。尚、ここで、「成型ショット」とは、プレス成型時において、特に、板紙製ブランクを加圧している状態をいう。
【００１１】
請求項４記載の発明は、請求項３に記載の発明において、前記板紙製ブランクを、一対の雄型用金型と雌型用金型とを有する成型用金型内に順次に搬送し、該板紙製ブランクの蓋面板を位置決めし、紙容器の蓋部分をプレス成型し、該蓋部分のプレス成型後に、前記板紙製ブランクを前記成型用金型内で重力により下方へスライド移動させ、次いで、該板紙製ブランクの本体板を位置決めし、紙容器の本体部分をプレス成型することにより、成型ショット毎に、別個の板紙製ブランクについて、本体部分と蓋部分を同時にプレス成型するものである。
【００１２】
請求項５記載の発明は、請求項３又は４に記載の発明において、蓋部分の成型ショット直後に、成型ストロークの範囲内で、雄型用金型側からブロアーを行うと同時に雌型用金型側からバキュームを行い、該雄型用金型側から蓋部分のみ成型された板紙製ブランクを剥離させる工程と、次いで、前記の成型用金型内で、上記剥離させた板紙製ブランクを該成型用金型の紙容器の本体部分の成型位置まで重力により下方へスライド移動させると同時に、次の板紙製ブランクを前記の成型用金型の蓋部分の成型位置まで重力により落下させる工程と、蓋部分のみ成型された上記ブランクの本体部分と、上記次の板紙製ブランクの蓋部分を同時にプレス成型する工程と、本体部分の成型ショット直後に、成型ショットのストロークの範囲内で、雄型用金型側からブロアーを行うと同時に雌型用金型側からバキュームを行い、完成した板紙製蓋付成型容器を該雄型用金型側から剥離し且つ該雌型用金型側に密着させた後、該雌型用金型側からブロアーを行い、上記の完成した板紙製蓋付成型容器を該雌型用金型側から排出する工程とを備えたものである。
【００１３】
請求項６記載の発明は、請求項３乃至５いずれかに記載の板紙製蓋付成型容器の成型方法を実施するための一対の雄型用金型と雌型用金型とを有する成型用金型とからなる成型装置であって、該雄型用金型は、板紙製ブランクの蓋面板の位置決め手段を設け、該板紙製ブランクを前記成型用金型内で重力により下方へスライド移動させるスライド手段を設け、該蓋面板の位置決め手段の下方には、前記板紙製ブランクの本体板の位置決め手段とを設けたことを特徴としている。
【００１４】
請求項７記載の発明は、請求項６に記載の板紙製蓋付成型容器の成型装置であって、前記板紙製ブランクの蓋面板の位置決め手段が、蓋面部の下端に当接するストッパーガイドと、蓋面板の横寸とほぼ同一且つ本体板の横寸より小さな内幅間隔を有するように設けられ、該ストッパーガイドの高さ寸法より低い高さ寸法を有する左右一対の蓋面サイドガイドから構成され、前記スライド手段が、略Ｌ字状の断面形状の枠体であって、縦方向のクリアランスが該蓋面サイドガイドの高さ寸法より大きく、本体板の横寸とほぼ同一の内幅間隔を有するように設けられた左右一対のスライドガイドから構成され、上記左右一対の蓋面サイドガイドは、上記左右一対のスライドガイドの内側に設けられたものであって、前記板紙製ブランクの本体板の位置決め手段が、本体板の横寸より小さな内幅間隔を有するように設けられた左右一対のストッパーピンと、上記左右一対のスライドガイドから構成されることを特徴としている。
【００１５】
請求項８記載の発明は、請求項６又は７に記載の板紙製蓋付成型容器の成型装置であって、成型ショット直後に、成型ストロークの範囲内で蓋部分のみ成型されたブランク及び完成した板紙製蓋付成型容器をブロアーする空気圧力手段を前記雄型用金型体に設け、前記成型ショット直後に、蓋部分のみ成型されたブランク及び完成した板紙製蓋付成型容器に対して、前記成型ストロークの範囲内でバキュームを行い、バキューム後に、前記成型ストロークの範囲内でブロアーする空気圧力・吸引手段を前記雌型用金型体に設け、前記成型ショット直後に、前記成型ストロークの範囲内で、雄型用金型側からブロアーを行わせると同時に雌型用金型側から一定時間バキュームを行わせ、次いで、前記成型ストロークの範囲内で雌型用金型側からブロアーさせる時間差稼動手段を備えたことを特徴としている。
【発明の効果】
【００１６】
請求項１記載の発明によれば、高い側壁で形成された深底の本体部分を具備する板紙製蓋付成型容器を、板紙製ブランクをプレス成型することによって、該板紙製ブランクの破断を生じることなく、経済的に成型することができる。
【００１７】
請求項２記載の発明によれば、蓋部分の周縁に突出した周状膨出部を設け、本体部分の底部に上げ底状態の中央底部を設けることにより、板紙製蓋付成型容器は、容器として適度な強度を保持することができる。
【００１８】
請求項３記載の発明によれば、紙容器の本体部分と蓋部分が同時にプレス成型されることはないので、成型部分が互いに引き合って板紙製ブランクが破断するという不具合を防止することができる。また、板紙製ブランクを重力により下方へスライド移動させるので、スムーズに移動させることができ、成型ショット毎に板紙製ブランクを移動させるための特別な動力を要しない。
【００１９】
請求項４記載の発明によれば、板紙製ブランクの蓋面板及び本体板がいずれも位置決めされてからプレス成型されるので、重力による下方への移動という無理に力を加えない自然な移送方法と相俟って、紙容器の蓋部分及び本体部分を正確に成型することができる。従って、成型された板紙製蓋付成型容器をヒンジ部にて折り返すことにより、本体部分の周縁部と蓋部分の周縁部とをぴったりと重ね合わせることができる。
【００２０】
請求項５記載の発明によれば、板紙製ブランクの蓋面板及び本体板がいずれも位置決めされるだけでなく、蓋部分の成型ショット直後に、成型ストロークの範囲内で、雄型用金型側からブロアーを行うと同時に雌型用金型側からバキュームを行い、該雄型用金型側から蓋部分のみ成型された板紙製ブランクを剥離させてから、前記の成型用金型内で、上記剥離させた板紙製ブランクを該成型用金型の紙容器の本体部分の成型位置まで重力により下方へスライド移動させる。そのため、過剰な力が作用せず、プレス成型時に板紙製ブランクのずれが生じ難くなり、紙容器の蓋部分及び本体部分をより正確に成型することができる。また、本体部分の成型ショット直後に、前記成型ストロークの範囲内で、前記雌型用金型側からブロアーすることによって、蓋部分のみ成型された板紙製ブランク及び完成した直後の板紙製蓋付成型容器をそれぞれ雌型用金型から排出することで、複数の板紙製ブランクを重ねた状態でプレス成型する不具合を防止し、板紙製ブランクを下方へスムーズにスライド移動させることができる。
【００２１】
請求項６記載の発明によれば、板紙製ブランクの蓋面板の位置決め手段が設けてあるので、板紙製ブランクの蓋面板及び本体板は、いずれも確実に位置決めしてからプレス成型される。また、板紙製ブランクを重力により下方へスライド移動させる手段を備えているので、板紙製ブランクをスムーズに移動させることができ、成型ショット毎に板紙製ブランクを移動させるための特別な動力を要しない。
【００２２】
請求項７記載の発明によれば、前記板紙製ブランクの蓋面板の位置決め手段が、蓋面部の下端に当接するストッパーガイドと、蓋面板の横寸より大きく且つ本体板の横寸より小さな内幅間隔を有するように設けられ、該ストッパーガイドの高さ寸法より低い高さ寸法を有する左右一対の蓋面サイドガイドから構成されているので、板紙製ブランクの蓋面板を所定の位置に位置決めすることができる。
【００２３】
すなわち、板紙製ブランクの蓋面部の左右両端がそれぞれ、左右の蓋面サイドガイドの内側面に沿って摺動することにより、該板紙製ブランクの蓋面部は、左右一対の蓋面サイドガイドの内側を下方へスライド移動し、板紙製ブランクの蓋面部の下端がストッパーガイドに当接して、該板紙製ブランクの蓋面部が所定の高さで位置決めされる。また、蓋部分のプレス成型後、上記板紙製ブランクの本体板の左右両側部が、それぞれ左右両側の蓋面サイドガイド上を摺動することにより、該板紙製ブランクは成型用金型内で重力により下方へスライド移動する。尚、上記左右両側の蓋面サイドガイドの高さ寸法は、上記ストッパーガイドの高さ寸法より低く設定してあるので、板紙製ブランクの本体板の縁部が該ストッパーガイドに引っかかることはない。
【００２４】
また、請求項７記載の発明によれば、板紙製ブランクを成型用金型内で重力により下方へスライド移動させるスライド手段として、略Ｌ字状の断面形状の枠体であって、縦方向のクリアランスが該蓋面サイドガイドの高さ寸法より大きく、本体板の横寸とほぼ同一の内幅間隔を有するように設けられた左右一対のスライドガイドを設けている。従って、上記板紙製ブランクの本体板の左右両側部が、それぞれ左右両側の略Ｌ字状の断面形状の枠体内を下方へ摺動するので、上記板紙製ブランクは、左右に揺動することなくほぼ一定の姿勢を保ちつつ成型用金型内で重力により下方へスライド移動する。
【００２５】
更に、請求項７記載の発明によれば、前記板紙製ブランクの本体板の位置決め手段が、本体板の横寸より小さな内幅間隔を有するように設けられた左右一対のストッパーピンと、上記左右一対のスライドガイドから構成されているので、板紙製ブランクの本体板を所定の位置に位置決めすることができる。すなわち、板紙製ブランクの本体板の左右両端がそれぞれ、左右のスライドガイドの内側面に沿って摺動することにより、該板紙製ブランクの本体部は、左右一対のスライドガイドの内側で下方へスライド移動し、板紙製ブランクの本体部の左右下端がそれぞれ左右のストッパーピンに当接することによって該板紙製ブランクが係止され、該板紙製ブランクの本体部が所定の高さで位置決めされる。
【００２６】
請求項８記載の発明によれば、板紙製ブランクは、成型ショット直後に、成型ストロークの範囲内で、空気圧力手段により雄型用金型側からブロアーされると同時に、雌型用金型に設けられた空気圧力・吸引手段により一定時間バキュームされるので、該板紙製ブランクは、該雄型用金型から完全に剥離される。
【００２７】
また、請求項８記載の発明によれば、上記の空気圧力・吸引手段により、板紙製ブランクは雌型用金型側からブロアーされて、前記雌型用金型体から脱離する。よって、複数の板紙製ブランクを重ねた状態でプレス成型する不具合を防止することができる。更に、蓋部分の成型後、ストッパーガイドに載った状態の板紙製ブランクを該ストッパーガイドから確実に離脱させることができ、それによって、板紙製ブランクを下方へスムーズにスライド移動させることができる。また、更に、本体部分のプレス成型後、空気圧力・吸引手段により雌型用金型側からブロアーすることにより、左右のストッパーピンに係止した状態の板紙製蓋付成型容器を該ストッパーピンから確実に離脱させることができる。
【発明を実施するための最良の形態】
【００２８】
以下、本発明の実施の形態につき説明する。本発明によれば、図８に示す形状の板紙製ブランクＡから、一実施形態として、図５に示す形状の板紙製蓋付成型容器１を製造することができる。この板紙製ブランクＡは、本体板１０と蓋面板２０とがヒンジ部１３を介して一体の形状を有している。本体板１０と蓋面部２０の各コーナー部分にはプレス成型の際にしわの形成が偏りなく一様に行われるようにそれぞれの中心部に向けて放射状の押し罫１２が形成されている。この板紙製ブランクＡは、一枚の大きな原材料紙から切り出された複数の原紙の一枚であり、通常原材料紙の厚さは、１５０〜４５０ｇ／ｍ2の範囲から選定される。原紙の厚さがこの範囲以下であると成型後の形状安定性に不安があり、また容器としての強度自体も不足するような場合が多い。逆に原紙の厚さがこの範囲以上に厚くなると成型が困難となり、破断等が生じやすくなる傾向が認められる。
【００２９】
図５は、図８の板紙製ブランクＡから製造された板紙製蓋付成型容器１を示す斜視図、図６は、図５のＡ−Ａ線による拡大断面図、図７は図５に示した板紙製蓋付成型容器１を閉じた状態の斜視図である。
【００３０】
図５〜図７において、この板紙製蓋付成型容器１は、本体部分２と蓋部分３とを備え、本体部分２と蓋部分３とは、ヒンジ部４にて連結され、一体に形成されている。本体部分２は、上方へ窪む上げ底状態に構成された中央底部８ａと、該中央底部８ａの外周縁から外方へ広がっている外側底部８ｂと、該外側底部８ｂの各辺から外側へ立ち上がる側壁９と、該側壁９の上端縁から外方に略水平状に周設されたフランジ部７ｂを備えている。また、蓋部分３は、板状の蓋面部５と、該蓋面部５の周縁から上側に突出した周状膨出部６と、該周状膨出部６の周縁から外方へ延在するフランジ部７ａとを備えている。
【００３１】
本体部分２と蓋部分３は上記ヒンジ部４にて連結されており、前記本体部分２を閉じた状態において、該蓋部分３が前記ヒンジ部４で折り返され、該蓋部分３のフランジ部７ａと該本体部分２のフランジ部７ｂは周縁で当接し、重ね合わせることができる。
【００３２】
また、使用される板紙製蓋付成型容器１の用途により、必要に応じて適宜、板紙製ブランクＡの外面若しくは内面に印刷が施され、またワックス、樹脂のコーティングが行われる。さらに必要に応じて、片面又は両面に樹脂フィルム等を貼り合せた紙を使用してもよい。
【００３３】
このような板紙製ブランクＡをプレス成型して板紙製蓋付成型容器１を成型するには、該板紙製ブランクＡを一対の雄型用金型と雌型用金型とを対向配置させた成型用金型で圧着させて、板紙製ブランクＡを所定形状に成型することが好ましい。
【００３４】
図１は、本発明の成型装置の第１実施形態の雄型用金型１００を示す正面図であり、図２は、該雄型用金型１００と、雌型用金型２００とを縦方向に配置した成型装置の断面を示す図である。
【００３５】
上記の雄型用金型１００は、ベース１１０と、ベース１１０に上下に隣接して設けられた摺動穴１３０及び摺動穴１５０と、該摺動穴１３０内で摺動する蓋部プレス台１２０、上記摺動穴１５０内で摺動する本体部プレス台１４０から構成される。該蓋部プレス台１２０には、板紙製蓋付成型容器１の蓋部分３の内面に当接されるべき部分に、該蓋部分３の形状に適合する蓋型凸部１２１が形成されている。該蓋型凸部１２１は、板紙製蓋付成型容器１の蓋部分３の形状に適合するものであって、蓋部分３の蓋面部５に相当する平面部１２２と、該蓋面部５の四辺周囲の周状膨出部６に相当し、断面が略半円状の山型部１２３を有している。また、前記本体部プレス台１４０には、板紙製蓋付成型容器１の本体部分２の内面に当接されるべき部分に、該本体部分２の形状に適合する容器型凸部１４１が形成されている。該容器型凸部１４１は、板紙製蓋付成型容器１の本体部分２の形状に適合しており、本体部分２の中央底部８ａに相当する平面部１４２と、該本体部分２の四辺周囲の側壁９に相当し、適宜角度で外方へ開く傾斜面１４３を有している。
【００３６】
そして、成型ショット前において、平面部１２２と平面部１４２は、高さ位置がほぼ等しくなるように、蓋部プレス台１２０及び本体部プレス台１４０が調整される。例えば、該蓋部プレス台１２０は基盤にスプリング１２４等を介して左右方向に移動可能に取り付けられ、前記本体部プレス台１４０は基盤に固定状態で取り付けられる。
【００３７】
また、上記雄型用金型１００には、前記板紙製ブランクＡの蓋面板２０の位置決め手段として、蓋面部２０の下端に当接するように、凸型状のストッパーガイド１６０が設けられている。また、上記雄型用金型１００の左右両側には、蓋面板２０の横寸より大きく且つ本体板１０の横寸より小さな内幅間隔を有する蓋面サイドガイド１７０ａ、１７０ｂが設けられている。そして、図４に示されるように、上記蓋面サイドガイド１７０ａ、１７０ｂの高さ寸法は、ストッパーガイド１６０の高さ寸法より低く設けられている。尚、上記の蓋面サイドガイド１７０ａ、１７０ｂの先端部分には、図２に示すようにテーパー加工を施すのが好ましい。
【００３８】
更に、図４に示されるように、上記雄型用金型１００の左右両側には、板紙製ブランクＡを重力により下方へスライド移動させるためのスライド手段として、略Ｌ字状の断面形状の枠体であって、縦方向のクリアランスが該蓋面サイドガイド１７０ａ、１７０ｂの高さ寸法より大きく、本体板１０の横寸とほぼ同一の内幅間隔を有するように設けられた左右一対のスライドガイド１８０ａ、１８０ｂが設けられている。また、スライドガイド１８０ａ及び１８０ｂは、板紙製ブランクＡの本体板１０の左右両側の一部が、スライドガイド１８０ａ及び１８０ｂの略Ｌ字型の枠内に入り込むように設けられており、板紙製ブランクＡは、上記スライドガイド１８０ａ、１８０ｂに案内されて、左右に揺動することなくほぼ一定の姿勢を保ちつつ成型用金型内で重力により下方へスライド移動する。
【００３９】
また更に、上記雄型用金型１００には、前記板紙製ブランクＡの本体板１０の位置決め手段として、左右一対のストッパーピン１９０ａ、１９０ｂが、前記左右一対のスライドガイド１８０ａ、１８０ｂの内幅間隔よりも大きく且つ本体板１０の横寸より小さな内幅間隔を有するように設けられている。上記のスライドガイド１８０ａ、１８０ｂにより下方へ案内された板紙製ブランクＡは、上記ストッパーピン１９０ａ、１９０ｂにより、本体板１０の左右下側のコーナー部分１１ａ及び１１ｂで係止され、本体板１０が位置決めされる。また、上記のスライドガイド１８０ａ、１８０ｂは、上記雄型用金型１００の容器型凸部１４１の左右両側にまで延設されている。
【００４０】
このように、上記のスライドガイド１８０ａ、１８０ｂにより下方へ案内された板紙製ブランクＡは、左右一対のストッパーピン１９０ａ、１９０ｂ及び上記左右一対のスライドガイド１８０ａ、１８０ｂによりその位置を安定に保持された状態となり、板紙製蓋付成型容器１の本体部分２が精度良くプレス成型される。
【００４１】
図２に示す実施形態の成型装置は、上記の雄型用金型１００と、雌型用金型２００とを縦方向に配置したものである。上記の雄型用金型１００のベース１１０はプレススプリング１１１を介して基盤に取り付けられている。蓋部プレス台１２０は、浮かせスプリング１２４を介して基盤に対して左右方向に相対的に移動可能に取り付けられており、その平面部１２２と本体部プレス台１４０の平面部１４２のそれぞれの高さ位置がほぼ等しくなるように調整される。
【００４２】
そして、上記の雄型用金型１００に対向して配置された雌型用金型２００は、ベース２１０と、ベース２１０に上下に隣接して蓋部凹型２２０及び本体部凹型２４０とが設けられている。蓋部凹型２２０は、板紙製蓋付成型容器１の蓋部分３の形状に適合するものであって、蓋部分３の蓋面部５に相当する平面部２２１と、該蓋面部５の四辺周囲の周状膨出部６に相当し、断面が略半円状の谷型部２２２を有している。また、本体部凹型２４０は、板紙製蓋付成型容器１の本体部分２の形状に適合しており、本体部分２の中央底部８ａに相当する平面部２４１と、該本体部分２の四辺周囲の側壁９に相当し、適宜角度で外方へ開く傾斜面２４２を有している。
【００４３】
また、上記雌型用金型２００には、前記板紙製ブランクＡの蓋面板２０の位置決め手段として雄型用金型１００側に設けられたストッパーガイド１６０の形状に適合するように、ガイド凹部２６０が設けられている。
【００４４】
前記のプレススプリング１１１及び浮かせスプリング１２４は、いわゆる緩衝機構であり、スプリング以外に、エアダンパー、油圧ダンパー等で構成することができ、適宜２組乃至４組ずつ取り付けられる。また、前記の摺動機構も、雌型用金型２００が取り付けられた基盤に適宜２組乃至４組ずつ取り付けられる。
【００４５】
周知機構のフィーダ装置（図示せず）により、スライドガイド１８０ａ、１８０ｂに順次搬送された板紙製ブランクＡは、ストッパーガイド１６０に蓋面部２０の下端が当接することにより、確実に所定の位置に載置される。そして、前記板紙製ブランクＡがストッパーガイド１６０に載置された後、雌型用金型２００が雄型用金型１００に圧着され、該雄型用金型１００の蓋部プレス台１２０が前記雌型用金型２００の蓋部凹型２２０に入り、上記蓋面部２０を該蓋部凹型２２０内に押し込み、蓋面部２０を折り曲げて板紙製蓋付成型容器１の蓋部分３がプレス成型される。この時、雄型用金型１００の下方において、上記のごとく蓋部分３をプレス成型した直後の板紙製ブランクＡの本体板１０が、ストッパーピン１９０ａ、１９０ｂに係止され、確実に所定の位置に載置された状態で、本体部分２のプレス成型が行われる。該本体部分２のプレス成型は、雌型用金型２００が雄型用金型１００に圧着され、該雄型用金型１００の本体部プレス台１４０が前記雌型用金型２００の本体部凹型２４０に入り、上記本体板１０を該本体部凹型２４０内に押し込み、本体板１０を折り曲げて板紙製蓋付成型容器１の本体部分２がプレス成型される。
【００４６】
また、ストッパーガイド１６０と、ストッパーピン１９０ａ若しくは１９０ｂの近傍にリミットスイッチ等を設けることにより、板紙製ブランクＡの蓋面部２０及び本体板１０が、それぞれ所定の位置に載置された状態であることが確認できるので、本体部分２及び蓋部分３の同時成型を確実に行うことができる。
【００４７】
また、成型ストロークの範囲内で板紙製ブランクＡを成型ショット直後にブロアーする空気圧力手段を雄型用金型１００側に設けるとともに、成型ショット直後に、成型ストロークの範囲内でバキュームを行い、バキューム後に、前記成型ストロークの範囲内で板紙製ブランクＡをブロアーする空気圧力・吸引手段を雌型用金型２００側に設けることにより、成型ショット後に、蓋部分のみ成型されたブランクは、該雄型用金型１００側から剥離し、重力により下方へスライドして定位置に正確に定められる。そのため、プレス成型時に板紙製ブランクＡのずれが生じ難くなり、紙容器１の本体部分２及び蓋部分３をより正確に成型することができる等の利点がある。
【００４８】
尚、図２に示す実施形態では、雄型用金型１００側において、蓋部プレス台１２０及び本体部プレス台１４０は、それぞれ空気圧力手段１２５及び１４４が設けられている。他方、雌型用金型２００側において、蓋部凹型２２０及び本体部凹型２４０は、それぞれ空気圧力・吸引手段２２５及び２４４が設けられている。そして、該空気圧力手段１２５及び１４４、空気圧力・吸引手段２２５及び２４４は、図示しない時間差稼動手段によって制御されており、成型ショット直後には、成型ストロークの範囲内で、雄型用金型１００側からブロアーさせると同時に、雌型用金型２００側からバキュームさせる。また、上記時間差稼動手段は、成型ショット直後に、前記成型ストロークの範囲内で、雄型用金型側からブロアーを行わせると同時に雌型用金型側から一定時間バキュームを行わせ、次いで、前記成型ストロークの範囲内で雌型用金型側からブロアーさせる。このようにして、板紙製ブランクＡは、確実にプレス成型され、蓋部分３のプレス成型後の板紙製ブランクＡ及び完成した板紙製蓋付成型容器１は、雌型用金型体２００から確実に脱離される。
【００４９】
上記の雄型用金型１００と上記の雌型用金型２００とを縦方向に配置した成型装置は、油圧シリンダ等の機構を取り付けた構成とすることができる。いずれか一方の型を固定してもよく、又は両者に油圧シリンダ等を取り付けてもよい。尚、本実施形態においては、雌型用金型２００を左右方向に移動可能とするために、雌型用金型２００は、基盤を介して伸縮可能な油圧シリンダのシリンダロッド（図示せず）等の摺動機構の先端に取り付けられている。
【００５０】
図３は、図１に示す上記の雄型用金型１００を用いて、前記板紙製ブランクＡをプレス成型する様子を示したものである。上記したように蓋部分３がプレス成型された後、板紙製ブランクＡは、スライドガイド１８０ａ、１８０ｂに案内されて、左右に揺動することなくほぼ一定の姿勢を保ちつつ成型用金型内で重力により下方へスライド移動し、左右一対のストッパーピン１９０ａ、１９０ｂによって、本体板１０の左右下側のコーナー部分１１ａ、１１ｂで係止され、本体板１０が位置決めされる。このようにして、蓋部分３がプレス成型された板紙製ブランクＡは、順次に、スライドガイド１８０ａ、１８０ｂにより下方へ案内され、ストッパーピン１９０ａ、１９０ｂ及び左右一対のスライドガイド１８０ａ、１８０ｂによりその位置を安定に保持された状態となり、板紙製蓋付成型容器１の本体部分２が精度良くプレス成型される。
【００５１】
図９は、本発明の成型装置の第２実施形態の雄型用金型１００を示す正面図であり、図１０は、該第２実施形態の雄型用金型１００及び雌型用金型２００を縦方向に配置した成型装置の断面を示す図である。
【００５２】
上記雄型用金型１００の左右両側には、蓋面板２０の横寸より大きく且つ本体板１０の横寸より小さな内幅間隔を有する蓋面サイドガイド１７０ａ、１７０ｂが設けられている。そして、図１０に示されるように、上記蓋面サイドガイド１７０ａ、１７０ｂの高さ寸法は、ストッパーガイド１６０の高さ寸法より低く設けられている。尚、本発明の成型装置の第２実施形態においては、蓋面サイドガイド１７０ａ、１７０ｂは、略Ｌ字状の断面形状の枠体であって、板紙製ブランクＡの蓋面板２０の左右両側の一部が、蓋面サイドガイド１７０ａ、１７０ｂの略Ｌ字型の枠内に入り込むように設けられており、板紙製ブランクＡは、上記スライドガイド１８０ａ、１８０ｂ及び蓋面サイドガイド１７０ａ、１７０ｂに案内されて、左右に揺動することなくほぼ一定の姿勢を保ちつつ成型用金型内で重力により下方へスライド移動する。
【００５３】
板紙製ブランクＡの蓋面部５は、プレス成型することによって、板紙製蓋付成型容器１の蓋部分３の横幅よりも小さくなる。従って、蓋面部５をプレス成型した後、板紙製ブランクＡがストッパーガイド１６０を乗り越えて下方へ円滑にスライド移動するために、蓋面サイドガイド１７０ａ、１７０ｂの最縁端間の内幅が、板紙製ブランクＡの蓋面部５の横幅より小さく、板紙製蓋付成型容器１の蓋部分３の横幅よりも大きく設けられている。
【００５４】
同様に、板紙製ブランクＡの本体板１０は、プレス成型することによって、板紙製蓋付成型容器１の本体部分２の横幅よりも小さくなる。従って、本体部分２をプレス成型した後、本体部分２の左右両端を雄型用金型１００の容器型凸部１４１の左右両側にまで延設されたスライドガイド１８０ａ、１８０ｂの外側に露出させて、完成した板紙製蓋付成型容器１を本発明の成型装置から確実に脱離させるために、スライドガイド１８０ａ、１８０ｂの最縁端間の内幅が、板紙製ブランクＡの本体板１０の横幅より小さく、板紙製蓋付成型容器１の本体部分２の横幅よりも大きく設けられている。
【図面の簡単な説明】
【００５５】
【図１】本発明の成型装置の第１実施形態の雄型用金型を示す正面図である。
【図２】図１の雄型用金型から構成される成型装置の断面図である。
【図３】加工中の本発明の成型装置の一姿勢を示す正面図である。
【図４】図３のＡ−Ａ線による拡大断面図である。
【図５】本発明の板紙製蓋付成型容器の一実施形態を示す斜視図である。
【図６】図５のＢ−Ｂ線による拡大断面図である。
【図７】図５に示した板紙製蓋付成型容器を閉じた状態の斜視図である。
【図８】図５に示した板紙製蓋付成型容器の板紙製ブランクを示す平面図である。
【図９】本発明の成型装置の第２実施形態の雄型用金型を示す正面図である。
【図１０】図９の雄型用金型から構成される成型装置の断面図である。
【符号の説明】
【００５６】
Ａ    板紙製ブランク
１    板紙製蓋付成型容器
２    本体部分
３    蓋部分
４    ヒンジ部
５    蓋面部
６    周状膨出部
７ａ  蓋側フランジ部
７ｂ  本体側フランジ部
８ａ  中央底部
８ｂ  外側底部
９    側壁
１０    本体板
１３    ヒンジ部
２０    蓋面板
１００    雄型用金型
１１０    ベース
１１１    プレススプリング
１２０    蓋部プレス台
１２１    蓋型凸部
１２５    空気圧力手段
１３０    摺動穴
１４０    本体部プレス台
１４１    容器型凸部
１４４    空気圧力手段
１５０    摺動穴
１６０    ストッパーガイド
１７０ａ，１７０ｂ  蓋面サイドガイド
１８０ａ，１８０ｂ  スライドガイド
１９０ａ，１９０ｂ  ストッパーピン
２００    雌型用金型
２１０    ベース
２２０    蓋部凹型
２２５    空気圧力・吸引手段
２４０    本体部凹型
２４４    空気圧力・吸引手段
２６０    ガイド凹部
【図１】
2006131290.tif 000003
【図２】
2006131290.tif 000004
【図３】
2006131290.tif 000005
【図４】
2006131290.tif 000006
【図５】
2006131290.tif 000007
【図６】
2006131290.tif 000008
【図７】
2006131290.tif 000009
【図８】
2006131290.tif 000010
【図９】
2006131290.tif 000011
【図１０】
2006131290.tif 000012